(57)【要約】【課題】市販のものを購入することなく、身近にあるものを使って容易に作成することが出来る簡易ホルソーカバーを提供する。【解決手段】ＰＥＴボトルの容器１の腹部を水平に切断して設けられた頭部と底部であって、注ぎ口２aに被冠されているキャップ２aの中央に穴２ｃを開けた頭部２と、底板の中央に穴３ｂを開け、逆さまにした頭部２の開口に嵌め入れられて頭部２の開口縁と自身の開口縁を固定して設けられた底部３とから成るホルソーカバーＡであって、電動ドリルＢのチャック部８に取り付けた外筒７ａと軸部７ｂから成る二重構造のビットソケット７の上部をホルソーカバーＡの頭部２のキャップ２ａの穴２ｃ及び底部３の穴３ｂに挿入し、ホルソーカバーＡは、キャップ２ａの穴２ｃ及び底部３の穴３ｂでビットソケット７に支持され、ホルソーカバーＡ内で、ビットソケット７の軸部７ｂの先端にホルソービットＤが取り付けられる構成とした。【選択図】図１
2016140971.tif 000002
【特許請求の範囲】
【請求項１】
プラスティック製の透明なボトル状の容器の腹部を略水平に切断して設けられた頭部と底部であって、
注ぎ口に被冠されているキャップの略中央に穴を開けた前記頭部と、
前記底板の略中央に穴を開け、逆さまにした前記頭部の開口に嵌め入れられて当該頭部の開口縁と自身の開口縁を相互に固定して設けられた底部とから成るホルソーカバーであって、
電動ドリルのチャック部に取り付けた、外筒と軸部から成る二重構造のビットソケットの上部を前記ホルソーカバーの頭部のキャップの穴及び前記底部の穴に挿入し、前記ホルソーカバーは、前記キャップの穴及び前記底部の穴で前記ビットソケットに支持され、
前記ホルソーカバー内で、前記ビットソケットの軸部の先端にホルソービットが取り付けられる構成としたことを特徴とする、簡易ホルソーカバー。
【請求項２】
プラスティック製の透明なボトル状の容器の腹部を略水平に切断して設けられた頭部と底部であって、
注ぎ口に被冠されているキャップの略中央に穴を開けた前記頭部と、
前記底板の略中央に穴を開け、逆さまにした前記頭部の開口に嵌め入れられて当該頭部の開口縁と自身の開口縁を相互に固定して設けられた底部とから成るホルソーカバーであって、
前記容器の頭部の注ぎ口の内側に弾性材から成る短尺なスリーブを取り付け、
前記電動ドリルのチャック部に取り付けたビットソケットの上部を前記頭部の注ぎ口のキャップの穴、スリーブの穴及び前記底部の穴に挿入して、前記ホルソーカバーは前記頭部のスリーブの穴及び前記底部の穴で前記ビットソケットに支持され、
前記ホルソーカバー内で、前記ビットソケットの軸部の先端にホルソービットが取り付けられる構成としたことを特徴とする、簡易ホルソーカバー。
【請求項３】
前記プラスティック製の透明なボトル状の容器は、ＰＥＴボトルであることを特徴とした、前記請求項１又は２の何れかに記載の簡易ホルソーカバー。
【請求項４】
前記ビットソケットは、伸縮自在としたことを特徴とする、前記請求項１、２又は３の何れかに記載の簡易ホルソーカバー。
【発明の詳細な説明】
【技術分野】
【０００１】
この発明は、天井材や壁材等の穴あけに使用するホルソーの簡易なカバーに関するものである。
【背景技術】
【０００２】
建築等の工事において、天井材や壁材（石膏ボードや合板等）等に円形状の穴をあける際にホルソーが使用されている。この様なホルソーを使って実際に削孔を開ける際には、当該ホルソーのビット部分の周囲にカバーを取り付けている。
【０００３】
この様なカバーとして、特許文献１に示すものがある。このカバーは略椀状の開口縁を有する透明なプラスティックから成り、前記開口縁を、穴をあける天井材等に密着させて、穴をあけた際に出来る切粉、埃等の飛散を防ぎ、また、これらの切粉等を収集するようになっている。
【特許文献１】特開２０１０−２４７３０６号公報
【発明の開示】
【発明が解決しようとする課題】
【０００４】
しかしながら、前記特許文献１のものは、市販されているものであり、費用がかかる。また、カバーに傷が付いたり、一部に穴があいた場合などカバーのみの交換などは容易に出来ず、さらには、決められた規格のもとでの製造であり、壁際や狭い場所では当該カバーが大きすぎて作業が出来ないと言ったことがあった。
【０００５】
この発明は、これらの点に鑑みて為されたもので、市販のものを購入することなく、身近にあるものを使って容易に作成することが出来、さらに、効果的にも優れた簡易ホルソーカバーを提供して前記課題を解決するものである。
【課題を解決するための手段】
【０００６】
請求項１の発明は、プラスティック製の透明なボトル状の容器の腹部を略水平に切断して設けられた頭部と底部であって、注ぎ口に被冠されているキャップの略中央に穴を開けた前記頭部と、前記底板の略中央に穴を開け、逆さまにした前記頭部の開口に嵌め入れられて当該頭部の開口縁と自身の開口縁を相互に固定して設けられた底部とから成るホルソーカバーであって、電動ドリルのチャック部に取り付けた、外筒と軸部から成る二重構造のビットソケットの上部を前記ホルソーカバーの頭部のキャップの穴及び前記底部の穴に挿入し、前記ホルソーカバーは、前記キャップの穴及び前記底部の穴で前記ビットソケットに支持され、前記ホルソーカバー内で、前記ビットソケットの軸部の先端にホルソービットが取り付けられる構成とした簡易ホルソーカバーとした。
【０００７】
請求項２の発明は、プラスティック製の透明なボトル状の容器の腹部を略水平に切断して設けられた頭部と底部であって、注ぎ口に被冠されているキャップの略中央に穴を開けた前記頭部と、前記底板の略中央に穴を開け、逆さまにした前記頭部の開口に嵌め入れられて当該頭部の開口縁と自身の開口縁を相互に固定して設けられた底部とから成るホルソーカバーであって、前記容器の頭部の注ぎ口の内側に弾性材から成る短尺なスリーブを取り付け、前記電動ドリルのチャック部に取り付けたビットソケットの上部を前記頭部の注ぎ口のキャップの穴、スリーブの穴及び前記底部の穴に挿入して、前記ホルソーカバーは前記頭部のスリーブの穴及び前記底部の穴で前記ビットソケットに支持され、前記ホルソーカバー内で、前記ビットソケットの軸部の先端にホルソービットが取り付けられる構成とした簡易ホルソーカバーとした。
【０００８】
請求項３の発明は、前記プラスティック製の透明なボトル状の容器は、ＰＥＴボトルである前記請求項１又は２の何れかに記載の簡易ホルソーカバーとした。
【０００９】
請求項４の発明は、前記ビットソケットは、伸縮自在とした前記請求項１、２又は３の何れかに記載の簡易ホルソーカバーとした。
【発明の効果】
【００１０】
請求項１の発明によれば、飲料水等の販売用に、一般に、使用されているプラスティック製の透明なボトル状の空容器を利用しているので、材料の入手が極めて容易であり、費用もかからない。また、ホルソーカバーを形成する際、特別な器具等を必要とせず、身近にあるもので作成でき、容易である。その為、現場において、求められている最適な大きさ、長さ等のホルソーカバーを得ることが出来る。また、使用中に破損したとしても、作成に失敗したとしても気軽に再度作成することができ、使い勝手が良いものである。
【００１１】
また、不要になるとそのまま自治体の不用品の回収物として処分すれば良く、便利である。さらに、前記頭部の開口の中に、底部を嵌め入れる際にも、双方の部材が適当な弾性を有するので嵌め入れ易く、作業が行い易いものである。
【００１２】
また、容器が透明であるので、ホルソーによる穴開けの際でも、ホルソーの削穴の状況が良く見えて安全であり、作業が行い易い。さらに、材質としても軽く、持ち運びにも便利である。この様なことから市販されているホルソーのカバーと比べて何ら遜色無く、むしろ市販のものより使い勝手が良いものである。
【００１３】
請求項２の発明によれば、前記容器の頭部の注ぎ口の内側に弾性材から成る短尺なスリーブを取り付けて、前記ホルソーカバーは、前記頭部の注ぎ口のスリーブの穴及び前記底部の穴で前記電動ドリルのビットソケットの上部に支持するようにしたので、より強固かつ確実に支持出来、天井材等の穴開け作業が速やかかつ安定してできるものである。
【００１４】
請求項３の発明によれば、前記プラスティック製の透明なボトル状の容器として、最も一般的に採用されているＰＥＴボトルを使用しているので、さらに、入手し易く、不要になった後の処分も極めて容易であり、便利である。
【００１５】
請求項４の発明によれば、前記ビットソケットは、伸縮自在としたので、作業者と作業場所との位置が多少離れていても一定の距離であれば対応出来、便利であり、このホルソーカバーが使用できる範囲も広がるものである。
【図面の簡単な説明】
【００１６】
【図１】この発明の実施の形態例１のホルソーカバーを電動ドリルに取り付けて使用している状態の一部断面図である。
【図２】この発明の実施の形態例１のホルソーカバーを形成するＰＥＴボトルの正面図である。
【図３】前記図２で示すＰＥＴボトルを腹部で水平に切断して頭部と底部に分けて立設した状態の正面図である。
【図４】前記図２で示すＰＥＴボトルの前記底部を、逆さまにした前記頭部の開口に嵌め入れた状態の断面図である。
【図５】この発明の実施の形態例１のホルソーカバーを形成するＰＥＴボトルの、逆さまにした頭部の注ぎ口の断面図である。
【図６】前記図４の状態からさらに加工した正面図である。
【図７】この発明の実施の形態例１のホルソーカバーを使用する際に用いるビットソケットを示す正面図である。
【図８】この発明の実施の形態例１において、形成したホルソーカバーを電動ドリルに取り付けた状態の一部断面図である。
【図９】この発明の実施の形態例１のホルソーカバーに使用する伸縮自在なビットソケットの正面図である。
【発明を実施するための最良の形態】
【００１７】
（実施の形態例１）
以下、この発明の実施の形態例１の簡易ホルソーカバー（以下、単に、「ホルソーカバー」と言う。）Ａを図に基づいて説明する。前記ホルソーカバーＡは、図２に示すように、市販されている飲料水等を入れていた略円柱状のＰＥＴボトルの空の容器１を利用して形成される。
【００１８】
まず、図３に示すように、立設させた前記ＰＥＴボトルの容器１を腹部で水平に切断して、キャップ２ａや注ぎ口２ｂがある頭部２と底部３に分ける。続いて、この底部３の底板３ａの中心に、後述するビットソケットの外径と略同経の穴３ｂを設け、また、図４及び図６に示すように、この底部３の外周に一定幅のゴムシート４を巻き付け、この状態の底部３を、逆さまにした前記頭部２の開口の中に、当該頭部２及び前記底部３の各開口縁の位置を合わせて嵌め入れる。
【００１９】
この時、底部３の外周にはゴムシート４を巻き付けているので、当該ゴムシート４がストッパーの役目を果たし、底部３が頭部２の底の方に落ち込むと言う事がない。そして、前記頭部２と底部３の各開口縁が重なった箇所にビニルテープ５を巻き付けて当該頭部２と底部３を固定する。
【００２０】
続いて、図５に示すように、前記頭部２の注ぎ口２ｂに螺着されているキャップ２ａの中央に、後述するビットソケットの外径と略同経の穴２ｃを開け、このキャップ２ａを前記頭部２の注ぎ口２ｂから外しておく。さらに、前記頭部２の注ぎ口２ｂの中に、弾性材から成る短尺なスリーブを取り付けるが、ここでは、このスリーブとして、エスシーロック（商標、星和電機株式会社製）に使用されているゴムスリーブ６を使用し、このゴムスリーブ６を前記頭部２の注ぎ口２ｂの内側に嵌め入れて取り付け、その後、前記キャップ２ａを注ぎ口２ｂに螺着する。この様にして、図６に示すように、この実施の形態例１のホルソーカバーＡは形成される。
【００２１】
次に、このホルソーカバーＡの使用の方法を説明する。
図７に示すような、市販されている外筒７ａと軸部７ｂから成る二重構造のビットソケット７を、図８に示すように、電動ドリルＢのチャック部８に取り付け、この電動ドリルＢに接続されたビットソケット７の上部をホルソーカバーＡの前記頭部２の注ぎ口２ｂから、キャップ２aの穴２ｃ、ゴムスリーブ６の穴６ａ及び底部３の穴３ｂを通してホルソーカバーＡの中に挿入する。
【００２２】
そして、前記ビットソケット７の上端にホルソービットＤを取り付ける。この時、前記ホルソーカバーＡは、前記ビットソケット７により、前記頭部２の注ぎ口２ｂのキャップ２aの穴２ｃ、ゴムスリーブ６の穴６ａ及び底部３の穴３ｂで確実に支持され、実際に天井材等の穴開けの際には、電動ドリルＢとホルソーカバーＡが一体に成り、安定してぶれることが無いので穴開け作業が行い易いものである。
【００２３】
この様にして、ホルソーカバーＡを取り付けた電動ドリルＢを、図１に示すように、穴を開ける天井材Ｃの予定の位置に合わせ、この電動ドリルＢのホルソービットＤの中心軸９の先端を穴を開ける中心の位置に合わせて押圧し、同時にホルソーカバーＡの開口縁を前記穴の周囲の位置に密着させて押圧する。
【００２４】
この状態で電動ドリルＢのレバー１０を引けば、ホルソービットＤの働きにより、天井材Ｃが削られて、切粉、埃等が発生しても、これらの切粉等１１は、前記底部３の中に落下し、外部へ飛散することがなく、当該切粉等１１は収集される。
【００２５】
また、前記ビットソケット７として、図９に示すように、軸部１２ｂが外筒１２ａに対して伸縮自在なビットソケット１２を使用した場合、作業者と切削箇所との位置が多少離れていても一定の距離であれば対応出来、便利であり、このホルソーカバーＡが使用できる範囲も広がる。
【００２６】
この実施の形態例１のホルソーカバーＡによれば、飲料水等の販売用に、広く使用されているＰＥＴボトルの空の容器１を利用しているので、材料の入手が極めて容易であり、費用もかからない。また、ホルソーカバーＡを形成する際、特別な器具等を必要とせず、身近にあるもので形成でき、容易である。その為、現場において、求められている最適な大きさ、長さ等のホルソーカバーを得ることが出来る。また、使用中に破損したとしても、或いは作成に失敗したとしても気軽に作成することができ、極めて使い勝手が良いものである。
【００２７】
また、不要になるとそのまま自治体の不用品の回収物として処分すれば良く、便利である。さらに、前記頭部２の開口の中に、底部３を嵌め入れる際にも、双方の部材が適当な弾性を有するので嵌め入れ易く、作業が行い易いものである。
【００２８】
また、透明なＰＥＴボトルの容器１を利用しているので、ホルソービット７による穴開けの際でも、ホルソービット７の削穴状況が良く見えて安全であり、作業が行い易い。さらに、材質としても軽く、持ち運びにも便利である。この様なことから市販されているホルソーのカバーと比べて何ら遜色無く、むしろ市販のものより使い勝手が良いものである。
【００２９】
前記実施の形態例１では、また、略円柱状のＰＥＴボトルの容器１を利用して、ホルソーカバーＡを形成しているが、材質としてはＰＥＴボトルに限るものではなく、もちろん他のプラスティック材のボトルによる空容器でも良く、また、略円柱形状でなくても四角柱形状など、このホルソーカバーが形成出来るものなら他の形状でも良い。
【００３０】
また、前記頭部２と底部３の各開口縁が重なった箇所にビニルテープ５を巻き付けて当該頭部２と底部３を固定しているが、当該箇所に巻き付けるのはビニルテープに限るものではなく、ビニルテープと同様の効果が得られるものであれば他のものでも良い。
【００３１】
また、前記底部３の外周に一定幅のゴムシート４を巻き付けて、前記頭部２の開口の中にこの底部３嵌め入れた際、当該底部３が頭部２の底の方に落ち込むことを防いでいるが当該箇所に設けるのはゴムシート４に限るものではなく、ゴムシート４と同様の効果が得られるものであれば複数の輪ゴムや他のものでも良い。また、前記ゴムシート４は状況によっては無くても良い。
【００３２】
さらに、弾性材から成る短尺なスリーブとして、エスシーロック（商標、星和電機株式会社製）のゴムスリーブ６を使用しているが、前記スリーブとしてはエスシーロックのゴムスリーブ６に限るものではなく、容器の注ぎ口２ｂの中に取り付けて、前記ホルソーカバーＡを前記ビットソケット７に支持出来るものであれば他のものを使用しても良い。また、注ぎ口２ｂにゴムスリーブ６を取り付けた後、キャップ２ａを螺着しているが、注ぎ口２ｂにゴムスリーブ６が確実に取り付けられ、かつこの前記ビットソケット７にゴムスリーブ６が確実に支持出来るならば、前記キャップ１２は使用しなくても良い。
【００３３】
さらに、キャップ２aと前記底部３の底板３aの穴３ｂだけで前記ビットソケット７に確実に支持出来るのであれば、前記弾性材から成る短尺なスリーブを設けなくても良い。
【符号の説明】
【００３４】
Ａ      ホルソーカバー      Ｂ    電動ドリル
Ｃ      天井材              Ｄ    ホルソービット
１      容器                ２    頭部           ２ａ   キャップ
２ｂ    注ぎ口              ２ｃ  穴             ３    底部
３ａ  底板                  ３ｂ  穴             ４    ゴムシート
５     ビニルテープ         ６    ゴムスリーブ   ６ａ  穴
７    ビットソケット        ７ａ  外筒           ７ｂ  軸部
８    チャック部            ９    中心軸       １０   レバー
１１    切粉等              １２    ビットソケット
【図１】
2016140971.tif 000003
【図２】
2016140971.tif 000004
【図３】
2016140971.tif 000005
【図４】
2016140971.tif 000006
【図５】
2016140971.tif 000007
【図６】
2016140971.tif 000008
【図７】
2016140971.tif 000009
【図８】
2016140971.tif 000010
【図９】
2016140971.tif 000011